(57)【要約】【課題】製造コストの増加を抑制することができ、外観の良い排水具を提供する。【解決手段】排水具１は、樋の下流側に連結されて樋に通じる排水筒３と、排水筒３の外周面に固定可能な固定部材５を備える。排水筒３の長さ方向の一部に内側に突出し且つ外側に溝部３０３が形成された絞り部３０が形成される。固定部材５が溝部３０３に嵌め付けられる嵌付部６を備える。嵌付部６が溝部３０３に嵌め付けられた状態でその外面が排水筒３の長さ方向において溝部３０３に隣接する外周面３７と面一になる。【選択図】図１
2015129415.tif 000002
【特許請求の範囲】
【請求項１】
樋の下流側に直接又は連結具を介して連結されて前記樋に通じる排水筒と、この排水筒の外周面に固定可能な固定部材を備え、前記排水筒の長さ方向の一部に内側に突出し且つ外側に溝部が形成された絞り部が形成され、前記固定部材が前記溝部に嵌め付けられる嵌付部を備え、この嵌付部が前記溝部に嵌め付けられた状態でその外面が前記排水筒の長さ方向において前記溝部に隣接する外周面と面一になることを特徴とする排水具。
【請求項２】
前記固定部材は建物に固着される固着部を備え、前記嵌付部が前記絞り部を掴んで支持するものであることを特徴とする請求項１に記載の排水具。
【請求項３】
前記溝部の幅方向の両側に形成された壁部が前記排水筒の内側に行く程互いに近づくように傾斜し、前記嵌付部が前記溝部に合致する断面形状を有することを特徴とする請求項１又は請求項２に記載の排水具。
【発明の詳細な説明】
【技術分野】
【０００１】
本発明は樋に連結して用いられる排水具に関する。
【背景技術】
【０００２】
特許文献１には、竪樋に連結される継手部材が開示されている。この継手部材は、上流側部分よりも下流側部分が細く形成されている。
【先行技術文献】
【特許文献】
【０００３】
【特許文献１】実開昭６３−２０００２８号公報
【発明の概要】
【発明が解決しようとする課題】
【０００４】
ところで、特許文献１に開示された継手部材は、下流側部分の径を小さくすることで、継手部材の内側においてサイフォン現象を生じさせることが可能である。しかし、このように継手部材の下流側部分が上流側部分よりも細いと、継手部材の細くなった下流側部分が目立って見栄えが悪くなる恐れがある。このため、特許文献１の継手部材にあっては、上流側部分から下流側に延びて下流側部分を覆う筒状部が形成されている。しかし、このような筒状部を形成すると継手部材の形状が複雑になり、製造コストの増加を招く恐れがある。
【０００５】
本発明は前記事情に鑑みてなされたものであって、製造コストの増加を抑制することができ、外観の良い排水具を提供することを目的とする。
【課題を解決するための手段】
【０００６】
本発明の排水具は、樋の下流側に直接又は連結具を介して連結されて前記樋に通じる排水筒と、この排水筒の外周面に固定可能な固定部材を備え、前記排水筒の長さ方向の一部に内側に突出し且つ外側に溝部が形成された絞り部が形成され、前記固定部材が前記溝部に嵌め付けられる嵌付部を備え、この嵌付部が前記溝部に嵌め付けられた状態でその外面が前記排水筒の長さ方向において前記溝部に隣接する外周面と面一になることを特徴とする。
【０００７】
また、前記固定部材は建物に固着される固着部を備え、前記嵌付部が前記絞り部を掴んで支持するものであることが好ましい。
【０００８】
また、前記溝部の幅方向の両側に形成された壁部が前記排水筒の内側に行く程互いに近づくように傾斜し、前記嵌付部が前記溝部に合致する断面形状を有することが好ましい。
【発明の効果】
【０００９】
本発明にあっては、排水筒の内側に突出した絞り部により、サイフォン現象を生じさせて、雨水を効率よく排出することができる。また、絞り部の外面に溝部が形成されるので、排水筒の周壁部の厚みを略均一にしながら、排水筒にサイフォン現象を生じさせるための内側に突出する部分を構成することができる。このため、排水筒の製造が容易になり、製造コストの増加を抑えることができる。また、絞り部の溝部に固定部材の嵌付部を嵌め付けた状態では、嵌付部の外面が排水筒の外周面と面一になるため、溝部が目立ち難くなり、外観を良くすることができる。
【図面の簡単な説明】
【００１０】
【図１】第１実施形態の排水具を用いた排水構造の縦断面図である。
【図２】前記排水具の固定部材及び固着具を示す斜視図である。
【図３】第２実施形態の排水具を用いた排水構造の縦断面図である。
【発明を実施するための形態】
【００１１】
以下、本発明の実施形態について、図面を参照しながら説明する。
【００１２】
（第１実施形態）
図１には本実施形態の排水具１を用いた排水構造が示されている。排水具１は、樋の下流側に連結されて樋に通じる排水筒３と、排水筒３の外周面に固定可能な固定部材５とを備えている。
【００１３】
排水筒３は建物の外壁に沿って設けられる。以下、建物の外壁を単に外壁と記載する。本実施形態の排水筒３は上流側の竪樋２０と下流側の竪樋２１とを連結する継手として用いられる。なお、竪樋２０は、例えば、エルボー、呼び樋、エルボー、及び集水器を順に介して軒樋に連結される。また、排水筒３の下流側に連結される竪樋２１は、例えば地面に設けられた排水管に連結される。
【００１４】
排水筒３は合成樹脂製であり、例えば射出成形により形成される。排水筒３は縦長円筒状に形成されている。排水筒３の内外径は、長さ方向の一部に形成された絞り部３０を除いて長さ方向において一様である。また、排水筒３の周壁部３１の厚みは、絞り部３０を含めて長さ方向及び周方向に亘って略一様である。
【００１５】
排水筒３の長さ方向の一端部（上端部）には、上流側の竪樋２０の下流側端部の外側に嵌め付けて連結される第１連結部３２が形成されている。排水筒３の長さ方向において第１連結部３２側と反対側の端部（下端部）には、下流側の竪樋２１の上流側端部の外側に嵌め付けて連結される第２連結部３３が形成されている。すなわち、本実施形態の排水筒３は、竪樋２０，２１の外側に連結される外継手として用いられる。
【００１６】
絞り部３０は排水筒３の長さ方向の中間部に形成されている。絞り部３０は第１連結部３２と第２連結部３３の間に位置している。以下、排水筒３の長さ方向において絞り部３０よりも上流側の部分を上流部３４と記載し、絞り部３０よりも下流側の部分を下流部３５と記載する。また、上流部３４と下流部３５で構成された部分、すなわち、排水筒３において絞り部３０を除く部分を他部３６と記載する。
【００１７】
絞り部３０は、排水筒３の他部３６よりも細くなっている。絞り部３０は、周方向の全長に亘って排水筒３の他部３６の内周面よりも内側に突出している。
【００１８】
絞り部３０は、中間筒部３００と、中間筒部３００の上流側に位置する上流側筒部３０１と、中間筒部３００の下流側に位置する下流側筒部３０２とを備えている。
【００１９】
中間筒部３００の断面形状は、排水筒３の他部３６と同心の円形である。中間筒部３００の内外径は長さ方向において一様である。中間筒部３００の内外径は、排水筒３の他部３６よりも小さい。また、中間筒部３００の内径は、上流側の竪樋２０の内径及び下流側の竪樋２１の内径よりも小さい。
【００２０】
上流側筒部３０１は上流側程内外径が次第に大きくなるテーパー筒状である。上流側筒部３０１は、中間筒部３００の上流側端部と上流部３４の下流側端部とを繋いでいる。
【００２１】
下流側筒部３０２は下流側程内外径が次第に大きくなるテーパー筒状である。下流側筒部３０２は、中間筒部３００の下流側端部と下流部３５の上流側端部とを繋いでいる。
【００２２】
排水筒３の絞り部３０の外側には、排水筒３の外側に向かって開口した溝部３０３が形成されている。溝部３０３は排水筒３の周方向に亘っている。溝部３０３の底部は中間筒部３００によって構成されている。溝部３０３の幅方向における両側の壁部３０４，３０５のうち、排水筒３の上流側に配置される壁部３０４は上流側筒部３０１により構成され、排水筒３の下流側に配置される壁部３０５は下流側筒部３０２により構成されている。
【００２３】
溝部３０３の両側の壁部３０４，３０５は、排水筒３の内側に行く程互いに近づくように傾斜している。溝部３０３の内側には、溝部３０３の長さ方向から見て台形状となる空間が形成されている。
【００２４】
固定部材５は、排水筒３を外壁に取り付けるための支持具として用いられる。固定部材５は、排水筒３の外側に嵌め付けられる嵌付部６を備えている。
【００２５】
嵌付部６は、図２に示されるように固定体６０と可動体６１とで構成されている。固定体６０は外壁に固着される固着部を構成している。可動体６１は固定体６０に対して移動可能に設けられている。
【００２６】
固定体６０と可動体６１は、平面視で同心の円弧状に形成されている。これら平面視円弧状の固定体６０と可動体６１の夫々の内面（径方向内側の面）の直径は、中間筒部３００の外径（溝部３０３の底面の直径）と略同じである。固定体６０と可動体６１の夫々の外面（径方向外側の面）の直径は、排水筒３の上流部３４の外径及び排水筒３の下流部３５の外径と略同じである。
【００２７】
また、図１に示されるように固定体６０及び可動体６１の長さ方向と直交する断面形状は矩形状である。さらに、固定体６０及び可動体６１の上下幅は、溝部３０３の底面の上下幅と同じである。
【００２８】
図２に示されるように、固定体６０の内側の面には、凹部６００が形成されている。固定体６０の凹部６００の奥部には、釘で構成された固着具７を通すための貫通孔（図示せず）が形成されている。
【００２９】
可動体６１の長さ方向の一端部は、固定体６０の長さ方向の一端部にヒンジ部６２を介して縦軸回りに回動可能に連結されている。ここで、縦軸回りとは、回動軸方向が縦方向（上下方向）であることを意味する。固定体６０のヒンジ部６２と反対側の端部には、固定部６０１が形成されている。他方、可動体６１のヒンジ部６２と反対側の端部には、固定部６０１に着脱自在に固定可能な被固定部６１０が形成されている。
【００３０】
可動体６１の被固定部６１０を固定体６０の固定部６０１に固定した状態では、固定体６０と可動体６１とを合わせた部分の平面視形状がリング状を成し、嵌付部６は固定体６０の内面に対向する領域６３が閉じた閉状態となる。
【００３１】
可動体６１の被固定部６１０と固定体６０の固定部６０１との固定を解除することで、可動体６１は被固定部６１０を固定部６０１から離した位置に回動することができる。このように可動体６１を回動することで、嵌付部６は領域６３が開放された開状態となる。
【００３２】
排水具１は例えば以下のように施工される。まず、外壁において排水筒３が施工される位置に固定部材５を取り付ける。この取付けは、嵌付部６を開状態にし、固着具７を固定体６０の貫通孔を通して外壁に打ち込むことで行われる。このようにすることで、固定体６０が固着具７の頭部７０と外壁との間に挟まれて固定体６０が外壁に対して固定される。なお、このように固定部材５が外壁に取り付けられた状態では、固着具７の頭部７０は固定体６０の凹部６００に収納され、固定体６０の内面よりも内側には突出しない。
【００３３】
次に固定部材５に排水筒３が取り付けられる。なお、この取付けは、排水筒３が竪樋２０，２１に連結された後に行われてもよいし、排水筒３が竪樋２０，２１に連結される前に行われてもよい。
【００３４】
固定部材５に排水筒３を取付けるには、まず、開状態にした嵌付部６における領域６３に、排水筒３の絞り部３０の中間筒部３００を配置し、固定体６０を排水筒３の溝部３０３に嵌め込む。次に、可動体６１をヒンジ部６２を中心に回動して被固定部６１０を固定体６０の固定部６０１に固定し、可動体６１を排水筒３の溝部３０３に嵌め込む。このようにすることで、排水筒３は固定体６０と可動体６１で挟まれる。すなわち、排水筒３は、嵌付部６によって掴まれて支持された状態となる。また、このように排水筒３が固定部材５に取り付けられた状態では、嵌付部６の全長に亘る部分が溝部３０３に嵌め込まれる。このため、溝部３０３の両側の壁部３０４，３０５により、排水筒３の長さ方向の移動が規制される。
【００３５】
また、排水筒３が固定部材５に取り付けられた状態では、嵌付部６の内面（固定体６０の内面及び可動体６１の内面）が、溝部３０３の底面（中間筒部３００の外面）に面接触する。
【００３６】
また、嵌付部６によって溝部３０３の底面が隠れる。さらに、嵌付部６の外面（固定体６０の外面及び可動体６１の外面）が、排水筒３の溝部３０３に隣接する外周面３７と面一になる。このため、排水筒３の溝部３０３は目立ち難くなる。
【００３７】
ここで、排水筒３の外観を良くすることができれば、嵌付部６の外面は排水筒３の外周面３７と完全に面一である必要はない。すなわち、嵌付部６の外面は、排水筒３の外周面３７とのずれが溝部３０３の溝深さよりも小さくなるのであれば、排水筒３の外周面３７よりも外側に位置してもよいし、内側に位置してもよく、前記面一とはこのような態様も含まれる。
【００３８】
外壁に取り付けられた排水筒３には、上流側の竪樋２０からの雨水が第１連結部３２を介して流れ込む。また、この雨水は絞り部３０の内側を通って第２連結部３３から下流側の竪樋２１に排出される。
【００３９】
降雨量が増したとき、竪樋２０から排水筒３に流れ込んだ雨水は、流路面積が小さくなった絞り部３０が抵抗となって、排水筒３内に滞留する。このため、排水筒３内において中間筒部３００の上流側は雨水で満たされた状態となる。そして、このように絞り部３０に満たされた雨水が下流側に流れることで、排水筒３内ではこの落下する雨水によって上流側の雨水が引かれるサイフォン現象が生じ、雨水が効率よく排出される。
【００４０】
以上説明した本実施形態の排水具１は、樋（竪樋２０）の下流側に連結されて樋に通じる排水筒３と、排水筒３の外周面に固定可能な固定部材５を備えている。排水筒３の長さ方向の一部には、内側に突出し且つ外側に溝部３０３が形成された絞り部３０が形成されている。また、固定部材５は、溝部３０３に嵌め付けられる嵌付部６を備えている。また、嵌付部６は、溝部３０３に嵌め付けられた状態でその外面が排水筒３の長さ方向において溝部３０３に隣接する外周面と面一になるように構成されている。
【００４１】
この排水具１は、排水筒３の内側に突出した絞り部３０により、サイフォン現象を生じさせて、雨水を効率よく排出することができる。また、サイフォン現象を生じさせるために排水筒３の内側に突出する部分を形成するには、排水筒３の長さ方向の一部を厚肉にすることも考えられるが、排水筒３が合成樹脂製等である場合には成形が難しくなり、また、厚肉部分の外側にひけが生じる恐れもある。しかし、本実施形態の排水具１は、絞り部３０の外面に溝部３０３が形成されるので、排水筒３の周壁部３１の厚みを略均一にしながら、排水筒３にサイフォン現象を生じさせるための内側に突出する部分を構成することができる。このため、排水筒３の製造が容易になり、製造コストの増加を抑えることができる。また、絞り部３０の溝部３０３に固定部材５の嵌付部６を嵌め付けた状態では、嵌付部６の外面が排水筒３の外周面３７と面一になるため、溝部３０３が目立ち難くなり、外観を良くすることができる。
【００４２】
また、本実施形態のように、固定部材５が建物に固着される固着部（固定体６０）を備え、嵌付部６が絞り部３０を掴んで支持するものであることが好ましい。このようにすると、固定部材５の固着部を外壁に固着し、嵌付部６で絞り部３０を掴んで支持することで、排水筒３を外壁に固定することができる。すなわち、排水筒３の外観を向上させるための固定部材５を用いて排水筒３を建物に支持することができる。
【００４３】
また、本実施形態のように、溝部３０３の幅方向の両側に形成された壁部３０４，３０５が排水筒３の内側に行く程互いに近づくように傾斜することが好ましい。このようにすることで、溝部３０３の両側の壁部３０４，３０５の内面に沿って流れる雨水をスムーズに下流側に導くことが可能になる。
【００４４】
（第２実施形態）
次に第１実施形態とは異なる実施形態について説明する。なお、以下の説明では第１実施形態と同一の機能を有する要素については同一の番号を付与し、重複する説明は省略する。
【００４５】
図３には、本実施形態の排水具１を用いた排水構造が示されている。本実施形態の排水具１が備える固定部材５は、嵌付部６が溝部３０３の断面形状に合致する断面形状を有している。
【００４６】
具体的には、固定体６０及び可動体６１は、長さ方向に直交する断面形状が台形状であり、上下幅（排水筒３の長さ方向における長さ）が外側に行く程長くなっている。
【００４７】
嵌付部６を溝部３０３に嵌め付けたときには、嵌付部６によって溝部３０３内の空間が埋まる。また、固定体６０及び可動体６１の上下両端面が、溝部３０３の対応する壁部３０４，３０５に面接触する。このため、嵌付部６と溝部３０３の両側の壁部３０４，３０５の間に隙間が形成されないようにすることができる。
【００４８】
以上説明した本実施形態の排水具１は、嵌付部６が溝部３０３に合致する断面形状を有している。このため、嵌付部６と溝部３０３の幅方向両側の壁部３０４，３０５の間に隙間が形成されないようにして、外観をさらに良くすることができる。
【００４９】
なお、第１実施形態及び第２実施形態における排水筒３は、竪樋用の継手として利用されるものであるが、本発明は呼び樋や竪樋として利用される排水筒に適用してもよい。また、排水筒３の上流側が連結される樋は、竪樋２０に限られず、軒樋や呼び樋であってもよい。また、排水筒３の上流側は、第１実施形態や第２実施形態のように樋に直接連結されるものに限られず、エルボや継手、集水器等の連結具を介して樋に連結されるものであってもよい。また、第１実施形態及び第２実施形態における固定部材５は、外壁に固定される固定部６０１を嵌付部６とは別に設けたものであってもよい。また、嵌付部６は平面視でリング状を成すことで排水筒３を掴んで支持するものに限られない。例えば嵌付部６は、平面視Ｃ字状で弾性変形可能な部材で構成されて、排水筒３の外側から嵌め付けられるものであってもよい。また、固定部材５には、建物に固定される固定部６０１が設けられなくてもよい。
【００５０】
また、この他、第１実施形態や第２実施形態における排水具１は、本発明の趣旨を逸脱しない範囲内で適宜設計変更可能である。
【符号の説明】
【００５１】
１  排水具
２０  竪樋（樋）
３  排水筒
３０  絞り部
３７  外周面
３０３  溝部
３０４  壁部
３０５  壁部
５  固定部材
６０  固定体（固着部）
【図１】
2015129415.tif 000003
【図２】
2015129415.tif 000004
【図３】
2015129415.tif 000005